(57)【要約】【課題】  ポストと横ビームを組み合わせて空間を演出するゾーニング什器等のポストに、後施工によって簡単且つ確実に配線機能を備えた配線ダクトを設けることができるとともに、ダクトカバーの着脱が容易で配線作業も簡単であるポストの配線ダクト装置を提供する。【解決手段】  ポストの側面には、上下方向全長にわたり断面略コ字形の係合溝を有するとともに、係合溝の上端部に切欠部を有し、ダクト本体は、背面上端部に切欠部に嵌合する嵌合突部を設けるとともに、その下方に前記係合溝に前面側から挿入でき、前面側からの作業で締め付けることが可能な締結手段を設け、ダクトカバーは、ダクト本体を外被する形状であり、上端部内にダクト本体の上端に係止する係止突部を設けるとともに、その下方にダクト本体に係脱可能に係止する係止手段を設けた。【選択図】        図１
2013121270.tif 000002
【特許請求の範囲】
【請求項１】
ゾーニング什器等のポストの側面に、断面略コ字形のダクト本体を取付けるとともに、該ダクト本体にダクトカバーを着脱可能に取付けてなるポストの配線ダクト装置であって、前記ポストの側面には、上下方向全長にわたり断面略コ宇形の係合溝を有するとともに、前記ダクト本体は、背面上端部に前記係合溝の上端部に係止するダクト本体側係止部を設けるとともに、その下方に前記係合溝に前面側から挿入でき、前面側からの作業で締め付けることが可能な締結手段を単数又は複数設け、前記ダクトカバーは、前記ダクト本体を外被する形状であり、上端部に前記ダクト本体の上端に係止するダクトカバー側係止部を設けるとともに、その下方に前記ダクト本体に係脱可能に係止する係止手段を単数又は複数設けたことを特徴とするポストの配線ダクト装置。
【請求項２】
前記ポストの係合溝は、上端部に切欠部を有すると共に開口部の両側に係止縁を有し、該開口部の幅が内部空間の幅よりも狭く設定された形状であって、前記切欠部は両係上縁を段状に切り欠いて形成したものであり、前記ダクト本体に設けたダクト本体側係止部は、前記切欠部に嵌合する嵌合突部であり、前記ダクトカバーの上端部内に設けた前記ダクトカバー側係止部は、前記ダクト本体の上端に係止する係止突部である請求項１記載のポストの配線ダクト装置。
【請求項３】
前記締結手段は、前記ダクト本体の底面板に形成した通孔に前側から挿通した締付ネジの先端部に、前記係合溝の開口部から挿入できる短辺側寸法と前記両係止縁に係止する長辺側寸法を有するナット板を螺合したものであり、前記ナット板を前面側から前記係合溝に挿入後、前記締付ネジを回転することで両係止縁に係止して締め付けるものである請求項２記載のポストの配線ダクト装置。
【請求項４】
前記係止手段は、前記ダクトカバーの内部に取付けた係止部材に、前記ダクト本体の両側面板をそれぞれ包持する保持部を有するとともに、該保持部に設けた係合爪を前記側面板に形成した孔に弾性的に係合するものである請求項１〜３何れかに記載のポストの配線ダクト装置。
【発明の詳細な説明】
【技術分野】
【０００１】
本発明は、ポストの配線ダクト装置に係わり、更に詳しくはゾーニング什器等におけるポストの配線ダクト装置に関するものである。
【背景技術】
【０００２】
従来からゾーニング什器、例えば間仕切パネル等の支柱やポストに配線機能を待たせたものは各種提供されている。また、ポストの側面の上下方向に設けた断面略コ字形の係合溝を利用して配線ダクトを所望の側面に取付けるものもある。
【０００３】
特許文献１には、什器等の被取付面に、開口の幅より奥部の幅を大とした上下方向を向く係合溝を設け、この係合溝の奥部に、係合溝の開口の幅より幅を大とした上下方向を向く取付板を嵌合し、この取付板の両側部を、前記係合溝における開口の両側部の内側に係止させて、取付板に設けた螺孔に螺合する固定ネジの先端を、係合溝の底面に圧接させることにより、前記取付板を、係合溝の底面との間に空間を形成するようにして、係合溝内に止着し、前記配線カバーに設けた下向鉤形の係止片を、前記取付板における係合溝の開口より露呈する部分に設けた係合孔を通して、前記空間まで嵌合し、かつ前記係止片を係合孔の下縁に係止した配線カバー取付構造が開示されている。
【０００４】
しかし、特許文献１に記載のものは、支柱の係合溝に、支柱の高さと同程度の長さの取付板を一端部から挿入する必要があり、立起状態にある支柱に後施工によって取付板を装着し、配線カバーを取付けるには、支柱の上方に十分な空間がなければできない。また、取付板は係合溝の開口部の内側に、該取付板に螺合した固定ネジの先端を係合溝の底面に圧接することで止着する構造であるので、つまり摩擦接合によって取付板を保持しているので、固定ネジが弛めば下方へずり落ちるばかりでなく、ガタツキが生じる。また、そのような状態になると、配線カバーを持ち上げて係止片を取付板の係合孔から外そうとしても、取付板が一緒に持ち上がって容易には外せないといった問題がある。
【先行技術文献】
【特許文献】
【０００５】
【特許文献１】特開２０１１−１５１９０７号公報
【発明の概要】
【発明が解決しようとする課題】
【０００６】
そこで、本発明が前述の状況に鑑み、解決しようとするところは、間仕切パネルを連結するコーナーポストを含め、ポストと横ビームを組み合わせて空間を演出するゾーニング什器等のポストに、後施工によって簡単且つ確実に配線機能を備えた配線ダクトを設けることができるとともに、ダクトカバーの着脱が容易で配線作業も簡単であるポストの配線ダクト装置を提供する点にある。
【課題を解決するための手段】
【０００７】
本発明は、前述の課題解決のために、ゾーニング什器等のポストの側面に、断面略コ字形のダクト本体を取付けるとともに、該ダクト本体にダクトカバーを着脱可能に取付けてなるポストの配線ダクト装置であって、前記ポストの側面には、上下方向全長にわたり断面略コ宇形の係合溝を有するとともに、前記ダクト本体は、背面上端部に前記係合溝の上端部に係止するダクト本体側係止部を設けるとともに、その下方に前記係合溝に前面側から挿入でき、前面側からの作業で締め付けることが可能な締結手段を単数又は複数設け、前記ダクトカバーは、前記ダクト本体を外被する形状であり、上端部に前記ダクト本体の上端に係止するダクトカバー側係止部を設けるとともに、その下方に前記ダクト本体に係脱可能に係止する係止手段を単数又は複数設けたことを特徴とするポストの配線ダクト装置を構成した（請求項１）。
【０００８】
ここで、前記ポストの係合溝は、上端部に切欠部を有すると共に開口部の両側に係止縁を有し、該開口部の幅が内部空間の幅よりも狭く設定された形状であって、前記切欠部は両係上縁を段状に切り欠いて形成したものであり、前記ダクト本体に設けたダクト本体側係止部は、前記切欠部に嵌合する嵌合突部であり、前記ダクトカバーの上端部内に設けた前記ダクトカバー側係止部は、前記ダクト本体の上端に係止する係止突部である請求項２）。
【０００９】
そして、前記締結手段は、前記ダクト本体の底面板に形成した通孔に前側から挿通した締付ネジの先端部に、前記係合溝の開口部から挿入できる短辺側寸法と前記両係止縁に係止する長辺側寸法を有するナット板を螺合したものであり、前記ナット板を前面側から前記係合溝に挿入後、前記締付ネジを回転することで両係止縁に係止して締め付けるものである（請求項３）。
【００１０】
また、前記係止手段は、前記ダクトカバーの内部に取付けた係止部材に、前記ダクト本体の両側面板をそれぞれ包持する保持部を有するとともに、該保持部に設けた係合爪を前記側面板に形成した孔に弾性的に係合するものである（請求項４）。
【発明の効果】
【００１１】
以上にしてなる請求項１に係る発明のポストの配線ダクト装置は、ゾーニング什器等のポストの側面に、断面略コ字形のダクト本体を取付けるとともに、該ダクト本体にダクトカバーを着脱可能に取付けてなるポストの配線ダクト装置であって、前記ポストの側面には、上下方向全長にわたり断面略コ宇形の係合溝を有するとともに、前記ダクト本体は、背面上端部に前記係合溝の上端部に係止するダクト本体側係止部を設けるとともに、その下方に前記係合溝に前面側から挿入でき、前面側からの作業で締め付けることが可能な締結手段を単数又は複数設け、前記ダクトカバーは、前記ダクト本体を外被する形状であり、上端部に前記ダクト本体の上端に係止するダクトカバー側係止部を設けるとともに、その下方に前記ダクト本体に係脱可能に係止する係止手段を単数又は複数設けたので、後施工によって、ポストの側面にダクト本体を簡単に取付けるとともに、該ダクト本体にダクトカバーを着脱自在に取付けて配線機能を備えた配線ダクトを簡単に取付けることができ、そしてダクト本体はポストに対するダクト本体側係止部の係止関係によって下方変位を確実に規制して取付けることができ、またダクトカバーはダクト本体に対するダクトカバー側係止部の係止関係によって下方変位を確実に規制して保持することができ、経年変化により締結手段や係止手段が弛んでも位置ずれが発生せず、しかもダクトカバーの着脱が容易であるので配線作業も簡単である。
【００１２】
請求項２によれば、前記ポストの係合溝は、上端部に切欠部を有すると共に開口部の両側に係止縁を有し、該開口部の幅が内部空間の幅よりも狭く設定された形状であって、前記切欠部は両係上縁を段状に切り欠いて形成したものであり、前記ダクト本体に設けたダクト本体側係止部は、前記切欠部に嵌合する嵌合突部であり、前記ダクトカバーの上端部内に設けた前記ダクトカバー側係止部は、前記ダクト本体の上端に係止する係止突部であるので、ポストに予め切欠部を設ける加工を施しておくだけで、後施工により配線ダクトを簡単且つ確実に取付けることができる。つまり、ダクト本体はポストに対して切欠部と嵌合突部の嵌合関係によって下方変位を確実に規制して取付けることができ、またダクトカバーはダクト本体に対して係止突部による係止関係によって下方変位を確実に規制して保持することができる。
【００１３】
請求項３によれば、前記締結手段は、前記ダクト本体の底面板に形成した通孔に前側から挿通した締付ネジの先端部に、前記係合溝の開口部から挿入できる短辺側寸法と前記両係止縁に係止する長辺側寸法を有するナット板を螺合したものであり、前記ナット板を前面側から前記係合溝に挿入後、前記締付ネジを回転することで両係止縁に係止して締め付けるものであるので、ポストの側面に前面側からの作業のみでダクト本体を簡単且つ確実に取付けることができる。
【００１４】
請求項４によれば、前記係止手段は、前記ダクトカバーの内部に取付けた係止部材に、前記ダクト本体の両側面板をそれぞれ包持する保持部を有するとともに、該保持部に設けた係合爪を前記側面板に形成した孔に弾性的に係合するものであるので、ダクト本体に対してダクトカバーを簡単に着脱することができ、また取付状態では弾性的な係合を利用しているのでガタツキが全くない。
【図面の簡単な説明】
【００１５】
【図１】本発明に係るポストの配線ダクト装置を適用したゾーニング什器を示す部分斜視図である。
【図２】ポストの切欠部を塞ぐ化粧カバーとポストの天キャップを外して配線ダクトを設ける準備をする状態の部分斜視図である。
【図３】ダクト本体の部分斜視図である。
【図４】ポストの側面にダクト本体を取付ける状態を示す部分分解斜視図である。
【図５】ポストの側面に取付けたダクト本体に配線コードを配設した状態を示す部分斜視図である。
【図６】ポストの側面にダクト本体を取付けた状態の部分正面図である。
【図７】ダクト本体にダクトカバーを取付ける状態を示す部分分解斜視図である。
【図８】ダクト本体にダクトカバーを取付け、ポストに天キャップを装着する状態を示す部分分解斜視図である。
【図９】ダクト本体にダクトカバーを取付け、ポストに補助天キャップを装着する状態を示す部分分解斜視図である。
【図１０】ゾーニング什器を構成する横ビームの断面図である。
【発明を実施するための形態】
【００１６】
次に、添付図面に示した実施形態に基づき、本発明を更に詳細に説明する。図１及び図２は本発明のポストの配線ダクト装置を適用するゾーニング什器を示し、図中符号１はポスト、２は横ビーム、３はポスト補強枠、４は配線ダクト、５はダクト本体、６はダクトカバーをそれぞれ示している。
【００１７】
本実施形態のゾーニング什器は、少なくとも４本のポスト１，…の上端間を横ビーム２で連結して空間を演出するものであり、図１には１本のポスト１の近傍のみを示している。図示したものは、外形が断面略正方形のポスト１の隣接する二つの側面７，７の上端部に横ビーム２，２を直交状態で連結したものであり、横ビーム２を連結した側面７には横幅の小さなポスト補強枠３を取付けて強度を高めている。本実施形態は、ポスト１と横ビーム２を組み合わせて空間を演出するゾーニング什器のポスト１に配線機能を持たせるための配線ダクト装置を示しているが、ポスト１は間仕切パネルの連結に用いるコーナーポストや他の什器の一部であっても構わない。
【００１８】
前記ポスト１の側面７には、上下方向全長にわたり断面略コ字形の係合溝８を有するとともに、該係合溝８の上端部に切欠部９を有している。ここで、前記ポスト１の４面の側面７にそれぞれ前記係合溝８と切欠部９が予め形成されており、前記横ビーム２を連結する側面７の切欠部９からは図示しない連結杆が突出している。通常、前記ポスト１の上端には天キャップ１０と、前記切欠部９には化粧カバー１１が嵌着されている。また、前記横ビーム２は、図１、図２及び図１０に示すように、上面側に凹溝１２が形成されており、該凹溝１２に配線コードを配設できるようになっている。そして、前記ポスト１の側面７で、横ビーム２を連結してない面に本発明に係る配線ダクト４を装着して、床面から該配線ダクト４を通して前記横ビーム２に配線できるようになっている。
【００１９】
更に詳しくは、前記ダクト本体５は、前記ポスト１の側面７の上下全長に亘って沿う長尺部材であり、背面上端部に前記ポスト１の切欠部９に嵌合する嵌合突部１３（ダクト本体側係止部）を設けるとともに、その下方に前記係合溝８に前面側から挿入でき、前面側からの作業で締め付けることが可能な締結手段１４を単数又は複数設けたものである。ここで、前記切欠部９が存在しなくても前記ダクト本体５の背面上端部に設けたダクト本体側係止部を前記ポスト１の上端に係止することができる。また、前記ダクトカバー６は、前記ダクト本体５を外被する形状であり、上端部内に前記ダクト本体５の上端に係止する係止突部１５（ダクトカバー側係止部）を設けるとともに、その下方に前記ダクト本体５に係脱可能に係止する係止手段１６を単数又は複数設けたものである。
【００２０】
そして、前記ポスト１の側面７に、前記ダクト本体５の背面を接合して、前記嵌合突部１３を前記ポスト１の切欠部９に嵌合するとともに、前記締結手段１４で係合溝８に締め付けて取付けた後、前記ダクトカバー６の係止突部１５を前記ダクト本体５の上端に係止するとともに、前記係止手段１６でダクト本体５に係脱可能に係止して配線ダクト４を構成するのである。
【００２１】
更に詳しくは、前記ポスト１の係合溝８は、図２及び図４に示すように、開口部１７の両側に係止縁１８，１８を有し、該開口部１７の幅が内部空間の幅よりも狭く設定された形状であり、前記切欠部９は両係止縁１８，１８を段状に切り欠いて内部空間を露出させるように形成したものである。
【００２２】
また、前記ダクト本体５は、図３〜図６に示すように、底面板１９とその両側に側面板２０，２０を直角に折曲形成した断面略コ字形の長尺部材であり、前記底面板１９の背面上端部にハット形の金属部材を溶接して前記嵌合突部１３を突設している。この嵌合突部１３は前記切欠部９に密嵌し、該切欠部９の下端の段状部に係止するのである。また、前記ダクト本体５の両側面板２０，２０で前記係止手段１６を設ける位置に対応して角孔２１，２１を一対又は複数対設けている。
【００２３】
そして、前記締結手段１４は、図３〜図６に示すように、前記ダクト本体５の底面板１９に形成した通孔２２に前側から挿通した締付ネジ２３の先端部に、前記係合溝８の開口部１７から挿入できる短辺側寸法と前記両係止縁１８，１８に係止する長辺側寸法を有するナット板２４を螺合したものであり、前記ナット板２４を前面側から前記係合溝８に挿入後、前記締付ネジ２３を回転することで両係止縁１８，１８に係止して締め付けるものである。
【００２４】
また、前記ダクトカバー６は、図７及び図８に示すように、前記ダクト本体５を外被可能な断面略コ字形の長尺部材であり、表面板２５の両側に側面板２６，２６を直角に折曲形成したものであり、上端部内に、両側面板２６，２６に亘って断面コ字形の金属部材を溶接して前記係止突部１５を設けている。前記係止突部１５は、前記表面板２５の背面よりも突出した位置に設けている。
【００２５】
そして、前記係止手段１６は、図７に示すように、前記ダクトカバー６の内部に取付けた係止部材２７に、前記ダクト本体５の両側面板２０，２０をそれぞれ包持する保持部２８，２８を有するとともに、該保持部２８，２８に設けた係合爪２９，２９を前記側面板２０，２０に形成した角孔２１，２１に弾性的に係合するものである。詳しくは、前記係止手段１６は、中央部に前記ダクトカバー６の内部に取付ける取付部３０を有し、該取付部３０の外側側面に平面視略三角形の前記係合爪２９，２９を突設するとともに、該取付部３０の両外側に前記ダクト本体５の両側面板２０，２０の外側面に当接する保持片３１，３１を形成した合成樹脂部材である。
【００２６】
このように、前記ポスト１の側面７に配線ダクト４を設けるには、先ず、図２に示すように、ポスト１の上端から天キャップ１０外すとともに、配線ダクト４を設ける側の化粧カバー１１を外して前記切欠部９を露出させる。それから、図４及び図５に示すように、前記ダクト本体５に単数又は複数の前記締結手段１４を装着した状態で、前記嵌合突部１３を前記切欠部９に嵌合係止するとともに、締結手段１４のナット板２４を、前記係合溝８の開口部１７に挿入し、前面側から締結手段１４の締付ネジ２３を回転させることにより、前記ナット板２４の長辺部を両係止縁１８，１８の内面に係止し、締め付けて取付ける。それから、前記ダクト本体５の内部にから前記横ビーム２の凹溝１２にかけて配線コードＫを配設する。そして、図７及び図８に示すように、前記ダクトカバー６の係止突部１５を前記ダクト本体５の上端に係止した後、前記ダクトカバー６で該ダクト本体５を外被すると、前記係止手段１６の保持部２８，２８がダクト本体５の両側面板２０，２０を包持するとともに、係合爪２９，２９が角孔２１，２１に弾性的に係合する。前記ダクト本体５とダクトカバー６は、前記ポスト１の切欠部９に直接的又は間接的に係止された状態で保持されるので、下方へ変位する恐れは全くなく、常に正確な位置に取付けることができる。
【００２７】
そして、配線後、図８に示すように、ポスト１の上端に天キャップ１０を嵌着するか、あるいは図９に示すように、天キャップ１０の代わりに、配線ダクト４を設けない側面７の化粧カバー１１と一体となって隙間を塞ぐように、補助天キャップ３２を嵌着しても良い。この補助天キャップ３２は、前記ポスト１の上端部を全て塞がないので、装着したまま、前記ダクトカバー６を外せば、配線作業を行うことができる。
【符号の説明】
【００２８】
１  ポスト、                ２  横ビーム、
３  ポスト補強枠、          ４  配線ダクト、
５  ダクト本体、            ６  ダクトカバー、
７  側面、                  ８  係合溝、
９  切欠部、                １０  天キャップ、
１１  化粧カバー、          １２  凹溝、
１３  嵌合突部（ダクト本体側係止部）、    １４  締結手段、
１５  係止突部（ダクトカバー側係止部）、  １６  係止手段、
１７  開口部、              １８  係止縁、
１９  底面板、              ２０  側面板、
２１  角孔、                ２２  通孔、
２３  締付ネジ、            ２４  ナット板、
２５  表面板、              ２６  側面板、
２７  係止部材、            ２８  保持部、
２９  係合爪、              ３０  取付部、
３１  保持片、              ３２  補助天キャップ、
Ｋ  配線コード。
【図１】
2013121270.tif 000003
【図２】
2013121270.tif 000004
【図３】
2013121270.tif 000005
【図４】
2013121270.tif 000006
【図５】
2013121270.tif 000007
【図６】
2013121270.tif 000008
【図７】
2013121270.tif 000009
【図８】
2013121270.tif 000010
【図９】
2013121270.tif 000011
【図１０】
2013121270.tif 000012